(57)【要約】【課題】石膏ボードに対する取り付けが容易で、かつ強固な固定が可能で、取り外した後においても大きな開口部が残らない壁掛け用ねじ込み金具を得る。【解決手段】フック部１５を持って、石膏ボードＢに対して金属棒体を螺旋状に曲設したスクリュコイル部１３をねじ込む。スクリュコイル部１３が完全に石膏ボードＢ内にねじ込まれると、鍔部１４により座金１６が石膏ボードＢの表面に押圧される。座金１６は鍔部１４により押圧されることにより偏平に変形し、石膏ボードＢを押すばね力が生じ、スクリュコイル部１３が石膏ボードＢに対して力が作用するように固定され、石膏ボードＢから脱落したり、緩みが生ずることが防止される。従って、石膏ボードＢには金属棒体１２の径に相当する程度の穴が穿くに過ぎず、後に至って壁掛け用ねじ込み金具１１を石膏ボードＢから取り外しても、小さい穴が残るだけで取り外し跡は目立たない。【選択図】図５
2007024236.tif 000002
【特許請求の範囲】
【請求項１】
被取付体にねじ込むための金属棒体を螺旋状に曲設し先端を尖らせたスクリュコイル部を有することを特徴とする壁掛け用ねじ込み金具。
【請求項２】
前記スクリュコイル部の基部に板ばね状の座金を取り付けたことを特徴とする請求項１に記載の壁掛け用ねじ込み金具。
【請求項３】
前記スクリュコイル部の基部に鍔部を設け、前記座金を固定するようにした請求項２に記載の壁掛け用ねじ込み金具。
【請求項４】
前記鍔部にフックを連設した請求項３に記載の壁掛け用ねじ込み金具。
【請求項５】
前記スクリュコイル部の基部に前記座金を一体化し、前記座金にドライバ用の十字溝を設けた請求項１に記載の壁掛け用ねじ込み金具。
【請求項６】
前記座金の中心にビス用のねじ溝を形成し、該ねじ溝にビスを螺合するようにした請求項５に記載の壁掛け用ねじ込み金具。
【発明の詳細な説明】
【技術分野】
【０００１】
本発明は、石膏ボード等の被取付体の建築壁面に好適に取り付け得る壁掛け用ねじ込み金具に関するものである。
【背景技術】
【０００２】
一般に、建物における内壁は、木材等から成る下地枠組の上に石膏ボードから成る下地材を張り付け、この下地材表面にクロス等の仕上げ材を貼り付けた二重壁構造とされることが多い。
【０００３】
このような壁に、壁掛け用ねじ込み金具を強固に取り付ける場合には、下地枠組の垂木等が配置されている位置に、ねじ部をねじ込む必要がある。しかし、垂木等のない部分の石膏ボードに細径のねじ部をねじ込み、このねじ部に大きな負荷を掛けた場合には、石膏ボードが脆くて崩れ易いため、金具が脱落する虞れがある。
【０００４】
石膏ボードの壁面に壁掛け用ねじ込み金具を取り付ける手段としては、幾つかの例が挙げられているが、例えば特許文献１の取付方法が知られている。これは図９に示すように、先ず石膏ボードＢにドリル等で貫通孔１を穿孔した後に、この貫通孔１に合成樹脂から成り、中心部にねじ溝２ａを有する大径のアンカ部材２をねじ込んで、アンカ部材２を石膏ボードＢに固定する。そして、このアンカ部材２のねじ溝２ａに、ねじ部３ａを有する金属製のフック３をねじ込んでいる。
【０００５】
【特許文献１】特開２００４−３０８８４３号公報
【発明の開示】
【発明が解決しようとする課題】
【０００６】
上述の方法はアンカ部材２が大径のため、石膏ボードＢに対して強固な固定が可能であるが、アンカ部材２の固定に際して、前もって石膏ボードＢに貫通孔１を穿ける必要がある。また、例えばフック３の取付位置を変更する場合等に、フック３を外してアンカ部材２を取り外した場合には、石膏ボードＢにアンカ部材２の跡による貫通孔１よりも大きな径の開口部が生じてしまい、見苦しくなり、この開口部を補修する必要がある。
【０００７】
本発明の目的は、上述の問題点を解消し、例えば石膏ボード等の被取付体に対する取り付けが容易で、かつ強固な固定が可能で、取り外した後においても大きな開口部が残らない壁掛け用ねじ込み金具を提供することにある。
【課題を解決するための手段】
【０００８】
上記目的を達成するための本発明に係る壁掛け用ねじ込み金具の技術的特徴は、被取付体にねじ込むための金属棒体を螺旋状に曲設し先端を尖らせたスクリュコイル部を有することにある。
【発明の効果】
【０００９】
本発明に係る壁掛け用ねじ込み金具によれば、螺旋状に曲設したスクリュコイル部の大きな表面積で、被取付体に対して固定しているため、脱落がし難いと共に、被取付体には金属棒体が挿通する極めて小さな穴しか穿かないため、取り外しても跡が目立ち難い。また、特殊工具を必要とせず、誰でも容易に取り付けたり、外したりすることができる。
【発明を実施するための最良の形態】
【００１０】
本発明を図１〜図８に図示の実施例に基づいて詳細に説明する。
【実施例１】
【００１１】
図１は本実施例における壁掛け用ねじ込み金具１１の側面図を示しており、金具１１の一部には、先端の尖った直径１〜１．５ｍｍ程度の金属棒体１２を螺旋状に曲設したスクリュコイル部１３が形成されている。このスクリュコイル部１３はワインコルクに対するコルク抜きのスクリュコイル部と同様である。そして、スクリュコイル部１３の基部には、鍔部１４、円弧状のフック部１５が連設されている。
【００１２】
図２は図１のＡ−Ａ線の拡大断面図を示しており、金属棒体１２はスクリュコイル部１３の中心軸と直交する側の面を押し潰した断面形状とされ、引抜力、押付力に対する強度が向上し好ましい。
【００１３】
図３は中心に金属棒体１２に挿通する孔部１６ａを有し、凹面状の板ばねから成る座金１６の正面図であり、スクリュコイル部１３の先端から挿し込み、鍔部１４の位置まで移動することにより、座金１６は図４に示すように鍔部１４により位置決めされている。
【００１４】
使用に際しては、フック部１５を持って図５に示すような表面にクロスＣを貼った石膏ボードＢに対して、スクリュコイル部１３をねじ込む。スクリュコイル部１３が完全に石膏ボードＢ内にねじ込まれると、鍔部１４により座金１６が石膏ボードＢの表面に押圧される。
【００１５】
座金１６は鍔部１４により押圧されることにより偏平に変形し、石膏ボードＢを押すばね力が生じ、スクリュコイル部１３が石膏ボードＢに対して力が作用するように固定され、石膏ボードＢから脱落したり、緩みが生ずることが防止される。このばね力を利用し、最後の締め具合を調整すると共に、フック部１５を上向きに取り付けることができる。
【００１６】
従って、石膏ボードＢには金属棒体１２の径に相当する直径１〜１．５ｍｍ程度の穴が穿くに過ぎず、後に至って壁掛け用ねじ込み金具１１を石膏ボードＢから取り外しても、直径１〜１．５ｍｍ程度の穴が残るだけで取り外し跡は目立たない。
【００１７】
また、スクリュコイル部１３をねじ込む際は、先端が斜めから挿入されるため、穴に相当する位置のクロスＣが穴の一部に付着して残っている可能性が高く、金具１１を取り外した際に、このクロスＣの残材により穴を覆えば、穴は殆ど見えなくなる。
【実施例２】
【００１８】
実施例１においては、スクリュコイル部１３に座金１６を挿通したが、本実施例２の壁掛け用ねじ込み金具１１’においては、図６に示すようにスクリュコイル部１３の基部に中心を肉厚にした座金２１が溶接されている。
【００１９】
座金２１の表面側には図７の正面図に示すように、ドライバ駆動用の十字溝２２が形成されており、更に座金２１の中心にはビスをねじ込むためのねじ溝２３が刻設されている。
【００２０】
この金具１１’の使用に当っては、座金２１の溝２２にプラスドライバを当接して回転させることにより、スクリュコイル部１３を石膏ボードＢ中にねじ込むことができ、金具１１’は石膏ボードＢに座金２１のばね力により強固に固定される。
【００２１】
その後に、座金２１のねじ溝２３にビス２４をねじ込むことにより、図８に示すようにビス２４により例えば取付物２５を固定することができる。或いは、ビス２４の代りに、図９に示す従来から使用されているねじ付きフック３をねじ込むこともできる。
【図面の簡単な説明】
【００２２】
【図１】実施例１のねじ込み部とフック部の側面図である。
【図２】図１における金属棒体のＡ−Ａ線の拡大断面図である。
【図３】座金の正面図である。
【図４】座金を挿通した状態の壁掛け用ねじ込み金具の側面図である。
【図５】石膏ボードに取り付けた状態の断面図である。
【図６】実施例２における壁掛け用ねじ込み金具の側面図である。
【図７】座金の正面図である。
【図８】石膏ボードに取り付けた状態の断面図である。
【図９】従来の壁掛け用ねじ込み金具の使用説明図である。
【符号の説明】
【００２３】
１１、１１’  壁掛け用ねじ込み金具
１２  金属棒体
１３  スクリュコイル部
１４  鍔部
１５  フック部
１６、２１  座金
２２  十字溝
２３  ねじ溝
２４  ビス
２５  取付物
Ｂ  石膏ボード
【図１】
2007024236.tif 000003
【図２】
2007024236.tif 000004
【図３】
2007024236.tif 000005
【図４】
2007024236.tif 000006
【図５】
2007024236.tif 000007
【図６】
2007024236.tif 000008
【図７】
2007024236.tif 000009
【図８】
2007024236.tif 000010
【図９】
2007024236.tif 000011